(57)【要約】      （修正有）【課題】大掛かりな吊り上げ機構、回転機構等を採用することなく、歩行が困難である被介護者の移乗を容易に行うことのできる軽量で簡易な構造の介護用椅子を提供し、併せて複数人の介護者によらず、一人の介護者による介護を可能にするとともに、移乗される被介護者の肉体的負担の軽減を可能にする介護用椅子を提供する。【解決手段】フレーム体に座部８および背もたれ９が装着・取外し自在もしくはフレーム体に沿って展開・収納自在に支持されるとともに、フレーム体は、座部８および背もたれ９を取外しもしくは収納した状態において、ベッド、トイレの座等の台上に腰をおろした状態の被介護者が台と共にくぐり抜けることのできるように形成される。【選択図】図１
2008104813.tif 000002
【特許請求の範囲】
【請求項１】
フレーム体に座部および背もたれが装着・取外し自在もしくはフレーム体に沿って展開・収納自在に支持された介護用椅子であって、
前記フレーム体は、座部および背もたれを取外しもしくは収納した状態において、ベッド、トイレの座等の台上に腰をおろした状態の被介護者が台と共にくぐり抜けることのできるフレーム体に形成されていること
を特徴とする介護用椅子。
【請求項２】
前記フレーム体は、上部バーと下部バーとにより連結された左右二つのサイドフレームを備えること
を特徴とする請求項１記載の介護用椅子。
【請求項３】
前記サイドフレームは、座部支持フレームと、座部支持フレームの後端から上方へ起立する背もたれ支持フレームと、座部支持フレームの先端から下方へ垂下する脚フレームとを備えること
を特徴とする請求項２記載の介護用椅子。
【請求項４】
前記脚フレームは、略Ｌ字状に形成されて、下部に走行輪を備えること
を特徴とする請求項３記載の介護用椅子。
【請求項５】
前記フレーム体は、前記座部支持フレームの前端部もしくは前記脚フレームの上端部において前後方向に回動可能に支持された肘掛フレームを備えること
を特徴とする請求項３または請求項４記載の介護用椅子。
【請求項６】
前記フレーム体は、前記肘掛フレームとリンク機構によって接続される踏込レバーを備え、
前記踏込レバーが踏み込まれることにより前記肘掛フレームが前方に回動されること
を特徴とする請求項５記載の介護用椅子。
【請求項７】
前記リンク機構は、伝達ロッドを備え、該伝達ロッドの一端側が前記フレーム体に踏み込み可能に支持される前記踏込レバーの後端部に接続されるとともに、該伝達ロッドの他端側が前記肘掛フレームに接続されること
を特徴とする請求項６記載の介護用椅子。
【請求項８】
前記フレーム体は、前後方向に回動可能に支持され、後方に回動した際に被介護者の上半身を支持可能な胸部サポート機構を備えること
を特徴とする請求項１〜７のいずれか一項記載の介護用椅子。  
【請求項９】
前記フレーム体は、前記胸部サポート機構とリンク機構によって接続される踏込レバーを備え、
前記踏込レバーが踏み込まれることにより前記胸部サポート機構が前方に回動されること
を特徴とする請求項８記載の介護用椅子。
【請求項１０】
前記リンク機構は、伝達ロッドを備え、該伝達ロッドの一端側が前記フレーム体に踏み込み可能に支持される前記踏込レバーの後端部に接続されるとともに、該伝達ロッドの他端側が前記胸部サポート機構に接続されること
を特徴とする請求項９記載の介護用椅子。
【請求項１１】
前記フレーム体は、前記座部および前記背もたれをフレーム体に沿ってスライドさせることが可能なスライド機構を備えること
を特徴とする請求項１〜１０のいずれか一項記載の介護用椅子。
【請求項１２】
前記フレーム体は、着座させる被介護者の膝下脚部を前方から支持可能なレッグサポート機構を備えること
を特徴とする請求項１〜１１のいずれか一項記載の介護用椅子。
【請求項１３】
前記フレーム体は、前記座部支持フレームの高さ調節が可能な高さアジャスト機構を備えること
を特徴とする請求項１〜１２のいずれか一項記載の介護用椅子。
【発明の詳細な説明】
【技術分野】
【０００１】
本発明は、介護用椅子に関し、さらに詳細には、フレーム体に座部および背もたれが装着・取外し自在もしくはフレーム体に沿って展開・収納自在に支持された介護用椅子に関する。
【背景技術】
【０００２】
歩行が困難な被介護者用として用いられる介護用椅子には、さまざまな方式のものがあり、その機構も多種多様である。昨今では、高齢化社会となり、介護用椅子の需要が増加している。しかしながら、ベッドからトイレへの移動のように、一時的な移動に用いられる介護用椅子にあっては、被介護者を乗車させる際に、介護者が被介護者を抱きかかえる必要があった。そのため、介護者の腰への負担が重く、介護上の問題となっていた。その一方、一人の介護者で抱きかかえることが困難な場合は、複数人の介護者によって乗車補助を行う必要があった。そのため、一人ひとりの介護者の腰への負担は軽減されるものの、作業効率が低下してしまうという問題が生じていた。
【０００３】
そのような問題を解消すべく提案された従来の介護用椅子の例として、特許文献１に記載の介護用椅子１００がある（図１０）。介護用椅子１００は、ベルトコンベアー１０１、１０２、１０３と、昇降装置１０４とを備え、ベルトコンベアー１０１、１０２、１０３をベッド上の被介護者に接近させて、被介護者が寝たままの状態で作動するベルトコンベアー１０１、１０２、１０３によって介護用椅子上に移動されて、移動完了後に、ベルトコンベアー１０１、１０２、１０３を椅子状に変化させる構成を備える。
【０００４】
【特許文献１】特開平１０−１０８８７８号公報
【発明の開示】
【発明が解決しようとする課題】
【０００５】
上記の介護用椅子１００のような従来の介護用椅子によれば、一人の介護者によって被介護者を乗車させることが可能ではある。しかしながら、複雑な機構を備える大掛かりな装置とならざるを得ない。また、重量があるため移動の際に大きな労力が必要となる。また、ベルトコンベアーで移動される際の被介護者の肉体的負担も少なくない等の問題がある。
【０００６】
本発明は、上記事情に鑑みてなされ、大掛かりな吊り上げ機構、回転機構等を採用することなく、歩行が困難である被介護者の移乗を容易に行うことのできる軽量で簡易な構造の介護用椅子を提供し、併せて複数人の介護者によらず、一人の介護者による介護を可能にするとともに、移乗される被介護者の肉体的負担の軽減を可能にする介護用椅子を提供することを目的とする。
【課題を解決するための手段】
【０００７】
本発明は、以下に記載するような解決手段により、前記課題を解決する。  
【０００８】
本発明に係る介護用椅子は、フレーム体に座部および背もたれが装着・取外し自在もしくはフレーム体に沿って展開・収納自在に支持された介護用椅子であって、前記フレーム体は、座部および背もたれを取外しもしくは収納した状態において、ベッド、トイレの座等の台上に腰をおろした状態の被介護者が台と共にくぐり抜けることのできるフレーム体に形成されていることを特徴とする。
【０００９】
また、前記フレーム体は、上部バーと下部バーとにより連結された左右二つのサイドフレームを備え、前記上部バーは、着座させる被介護者の頭頂部より上方位置に設けられるとともに、前記下部バーは、着座させる被介護者のつま先部より下方位置に設けられることを特徴とする。
【００１０】
また、前記サイドフレームは、座部支持フレームと、座部支持フレームの後端から上方へ起立する背もたれ支持フレームと、座部支持フレームの先端から下方へ垂下する脚フレームとを備えることを特徴とする。また、前記脚フレームは、略Ｌ字状に形成されて、下部に走行輪を備えることを特徴とする。
【００１１】
また、前記フレーム体は、前記座部支持フレームの前端部もしくは前記脚フレームの上端部において回動自在に支持され、前後方向に回動可能な肘掛フレームを備えることを特徴とするとともに、前記肘掛フレームとリンク機構によって接続される踏込レバーを備え、前記踏込レバーが踏み込まれることにより前記肘掛フレームが前方に回動して、該肘掛フレームで支持される被介護者が前かがみに腰を浮かせた状態で保持されることを特徴とする。さらに、前記リンク機構は、伝達ロッドを備え、該伝達ロッドの一端側が前記フレーム体に踏み込み可能に支持される前記踏込レバーの後端部に接続されるとともに、該伝達ロッドの他端側が前記肘掛フレームに接続されることを特徴とする。
【００１２】
また、前記フレーム体は、前後方向に回動可能に支持され、後方に回動した際に被介護者の上半身を支持可能な胸部サポート機構を備えることを特徴とするとともに、前記胸部サポート機構とリンク機構によって接続される踏込レバーを備え、前記踏込レバーが踏み込まれることにより前記胸部サポート機構が前方に回動して、該胸部サポート機構で支持される被介護者が前かがみに腰を浮かせた状態で保持されることを特徴とする。前記リンク機構は、伝達ロッドを備え、該伝達ロッドの一端側が前記フレーム体に踏み込み可能に支持される前記踏込レバーの後端部に接続されるとともに、該伝達ロッドの他端側が前記胸部サポート機構に接続されることを特徴とする。
【００１３】
また、前記フレーム体は、前記座部および前記背もたれをフレーム体に沿ってスライドさせることが可能なスライド機構を備えること、また、着座させる被介護者の膝下脚部を前方から支持するレッグサポート機構を備えること、さらに、前記座部支持フレームの高さ調節が可能な高さアジャスト機構を備えることを特徴とする。
【発明の効果】
【００１４】
請求項１によれば、ベッドの台上に腰をおろした状態の被介護者が台と共に介護用椅子のフレーム体をくぐり抜けることが可能となる。
【００１５】
請求項２によれば、上部バーを着座させる被介護者の頭頂部より上方位置に設けることによって、着座状態の被介護者は身をかがめることなく、そのままの姿勢で、上部バーつまりフレーム体をくぐり抜けることが可能となり、また、下部バー１２を着座させる被介護者のつま先部より下方位置に設けることによって、着座状態の被介護者はつま先を持ち上げることなく、そのままの姿勢で、下部バーつまりフレーム体をくぐり抜けることが可能となる。
【００１６】
請求項３によれば、座部の下方にベッドの台座を入れ込む配置をとることができ、これによって、ベッドの先端部が脚フレームの支柱部に当接するまで、フレーム体を後方に通過させることが可能となる。
【００１７】
請求項４によれば、略Ｌ字状の脚フレームによって、被介護者を乗せた状態のフレーム体を安定して支持することが可能となるとともに、走行輪によって、介護者の小さな労力によりスムーズな移動を行うことが可能となる。
【００１８】
請求項５、請求項６および請求項７によれば、肘掛フレームにより被介護者を支持することによって、被介護者を前かがみに腰を浮かせた状態で保持することが可能となる。
【００１９】
請求項８、請求項９および請求項１０によれば、後方に回動した際に被介護者の上半身に密着可能となる胸部サポート機構によって、被介護者の上半身を支持することが可能となる。また、胸部サポート機構を前方に回動させることによって、上半身が支持された被介護者を前かがみに腰を浮かせた状態で保持することが可能となる。また前方への転落を防止することも可能となる。
【００２０】
請求項１１によれば、座部および背もたれをフレーム体の上方からスライドさせることによって、それらを短時間でスムーズにフレーム体に装着させることが可能となる。
【００２１】
請求項１２によれば、被介護者が前かがみに腰を浮かせる際に支点となる膝のブレを解消することができ、被介護者が容易に当該動作をとることが可能となる。
【００２２】
請求項１３によれば、ベッド、トイレ等の座面高さに応じて、座部の高さを調節することが可能となる。
【発明を実施するための最良の形態】
【００２３】
以下、図面を参照して、本発明の実施の形態について詳しく説明する。図１は、本発明の実施の形態に係る介護用椅子１の一例を示す概略図である。また、図２は、その介護用椅子１のフレーム体２の構成を示す概略図である。図３は、その介護用椅子１により被介護者を移乗させる作業を作業順に示した工程図である。図４は、本発明の第二の実施の形態に係る介護用椅子１の例を示す概略図である。図５は、その第二の実施の形態に係る介護用椅子１の動作を示す説明図である。図６は、本発明の第三の実施の形態に係る介護用椅子１の例を示す概略図である。図７は、その第三の実施の形態に係る介護用椅子１の動作を示す説明図である。図８は、本発明の第四の実施の形態に係る介護用椅子１の例を示す概略図である。図９は、本発明の第五の実施の形態に係る介護用椅子１の例を示す概略図である。なお、図面の符号に関して、符号３は符号３ａ、３ｂの総称として用いる（他の符号について同じ）。
【００２４】
図１に示す介護用椅子１は、フレーム体２に座部８および背もたれ９が装着・取外し自在もしくはフレーム体に沿って展開・収納自在に支持された介護用椅子である。フレーム体２は、座部８および背もたれ９を取外しもしくは収納した状態において、ベッド、トイレの座等の台上に腰をおろした状態の被介護者が台と共にくぐり抜けることのできる大きさ、構造に形成されている。また、座部８および背もたれ９を装着もしくはフレーム体に沿って展開した状態で被介護者を腰掛け姿勢で着座させることが可能である。さらに、走行輪２１を備えて、着座状態のまま移動することが可能である。
【００２５】
具体的には、図２に示すように、フレーム体２は、左右に設けられる２つのサイドフレーム３ａおよび３ｂを、上部バー１１および下部バー１２により連結させて形成される。ここで、上部バー１１は、着座させる被介護者の頭頂部より上方位置に設けられる。また、下部バー１２は、着座させる被介護者のつま先部より下方位置に設けられる。一例として、上部バー１１は、背もたれ支持フレーム１３ａと１３ｂとの間に設けられ、着座状態の被介護者が身をかがめなくても上部バー１１をくぐり抜け可能な高さに設定される。また、下部バー１２は、脚フレーム１５ａと１５ｂとの間に設けられ、着座状態の被介護者がつま先を持ち上げなくても下部バー１２をくぐり抜け可能な高さに設定される。さらに、上部バー１１および下部バー１２ともに、被介護者の人体の幅が通過できる長さに形成される。
【００２６】
サイドフレーム３は、長手方向を横配置として設けられる座部支持フレーム１４に対して、座部支持フレーム１４の後端において、上方へ起立する背もたれ支持フレーム１３を連結させ、座部支持フレーム１４の先端において、下方へ垂下する脚フレーム１５を連結させて形成される。なお、サイドフレーム３は、３ａおよび３ｂとして左右に二つ設けられるが、同一形状である場合に限られない。
【００２７】
脚フレーム１５は、一例として、略Ｌ字状に形成される。なお、略Ｌ字状とは、脚フレーム１５の下部先端が座部支持フレーム１４の下方に配置されるように構成される。ここで、脚フレーム１５は略Ｌ字状に限らず、略逆Ｔ字状等であってもよい。
【００２８】
また、脚フレーム１５は、下部に走行輪２１を備える。一例として、前輪２１ａ、２１ｂおよび後輪２１ｃ、２１ｄの計四輪から構成される。ここで、前輪２１ａ、２１ｂと後輪２１ｃ、２１ｄとは、同一形状であっても、異なる形状であってもよい。なお、走行輪２１は四輪以上であってもよい。また、一般的な車輪の他に、キャスター、自在走行輪等、もしくはそれらの組み合わせであってもよい。
【００２９】
また、図４、図５に示すように、フレーム体２は、座部支持フレーム１４の前端部において回動自在に支持されて、前後方向に回動可能な肘掛フレーム４１を備える。なお、肘掛フレーム４１の支持位置は、脚フレーム１５の上端部であってもよい。ここで、肘掛フレーム４１とリンク機構４２によって接続される踏込レバー４３が、フレーム体２に設けられる。このリンク機構４２は、踏込レバー４３が踏み込まれることにより肘掛フレーム４１が前方に回動するように構成される。一例として、踏み込み力の伝達は、両端部が踏込レバー４３および肘掛フレーム４１のそれぞれに接続される伝達ロッド４４によって行われる。その接続は、固定させる接続であってもよく、回動可能な接続であってもよい。なお、伝達ロッド４４と肘掛フレーム４１との接続部に回動力を増幅させるギア機構（図示しない）を設ける構成としてもよい。
【００３０】
また、図４〜図７に示すように、前後方向に回動可能に支持され、後方に回動した際に被介護者の上半身を支持可能な胸部サポート機構がフレーム体２に設けられる。ここで、胸部サポート機構５１の支持位置は、図４、図５のように肘掛フレーム４１に設けてもよい。その場合には、胸部サポート機構５１ａを後方に回動させて被介護者の上半身を支持して、その位置で固定させた上で、前述のリンク機構４２によって、踏込レバー４３が踏み込まれることにより肘掛フレーム４１と肘掛フレーム４１に支持される胸部サポート機構５１ａとが共に前方に回動される。一方、胸部サポート機構５１の支持位置を、図６、図７のように座部支持フレーム１４もしくは脚フレーム１５に設けてもよい。その場合には、胸部サポート機構５１ｂとリンク機構５３によって接続される踏込レバー５４を、フレーム体２に設けておき、胸部サポート機構５１ｂを後方に回動させて被介護者の上半身を支持した上で、踏込レバー５４が踏み込まれることによりリンク機構５３を介して胸部サポート機構５１ｂが前方に回動するように構成される。なお、その際には肘掛フレーム４１は固定させてもよく、また胸部サポート機構５１ｂに随伴するように回動させてもよい。
【００３１】
一例として、踏込レバー５４に負荷される踏み込み力の伝達は、両端部が踏込レバー５４および胸部サポート機構５１ｂのそれぞれに接続される伝達ロッド５５によって行われる。その接続は、固定させる接続であってもよく、回動可能な接続であってもよい。なお、伝達ロッド５５と胸部サポート機構５１ｂとの接続部に回動力を増幅させるギア機構（図示しない）を設ける構成としてもよい。なお、ロック機構（図示しない）を設けて胸部サポート機構５１ｂを前方へ回動させる時のみ、胸部サポート機構５１ｂと伝達ロッド５５との接続をロックさせてもよい。
【００３２】
また、図４〜図７に示すように、フレーム体２には、レッグサポート機構６１を設ける。着座させる被介護者の膝下脚部を前方から支持するものであり、クッション性のある素材を被介護者の脚部側に用いることが好適である。なお、両足を支持するため、左右に二つ設けられるが、一体として形成してもよい。
【００３３】
座部８および背もたれ９は、被介護者の支持が可能であれば、平板状、平布状等いずれであってもよく、材質は限定されない。また、それらは一体であっても別体であってもよい。一例として、図５、図７に示すように、座部８および背もたれ９をフレーム体２に沿ってスライドさせることが可能なスライド機構３５をフレーム体２に設けて、フレーム体２の上部すなわち背もたれ支持フレーム１３の上部から座部支持フレーム１４の前端部まで連続的にスライドさせることによって、座部８および背もたれ９をフレーム体２に装着させる構成とする。その際に、図８に示すように、フレーム体２の上部に座部８および背もたれ９を巻き取りもしくは折り畳みによって収納する収納部３４を設けておき、収納部３４から座部８および背もたれ９を展開させる構成とすることもできる。
【００３４】
また、別の例として、図９に示すように、一体に形成された座部８および背もたれ９を上部バー１１に沿って横方向にスライドさせることが可能なスライド機構３６を設けて、座部８および背もたれ９を背もたれ支持フレーム１３ａから１３ｂの方向にもしくはその逆方向にスライドさせることによって、座部８および背もたれ９をフレーム体２に装着させる構成とする。その際に、座部８および背もたれ９のスライド方向先端部に係止装置２８を設けて、スライド完了位置のサイドフレームの係止部２９に係止させて固定する。また、背もたれ支持フレーム１３および座部支持フレーム１４の側方に座部８および背もたれ９を巻き取りもしくは折り畳みによって収納する収納部３２を設けておき、収納部３２から座部８および背もたれ９を展開させる構成とすることもできる。なお、座部８および背もたれ９は別体に形成してもよい。
【００３５】
また、フレーム体２には、座部支持フレーム１４の高さ調節が可能な高さアジャスト機構７１が設けられる。一例として、手動ネジ式の昇降機構を脚フレームに設ける。なお、油圧式等を用いてもよい。
【００３６】
つづいて、上記構成に基づく作用と効果について説明する。
図３に示すように、一例として、ベッド８０の上の被介護者は、腰を下ろした着座姿勢で待機をする（図３（ａ））。そこへ、介護用椅子１を後方向きに進行させて、図３（ｂ）の状態となるように配置する。このとき、被介護者は介護用椅子１のフレーム体２の内側に位置する状態となる。このように、ベッド８０の台上に腰をおろした状態の被介護者が台と共にフレーム体２をくぐり抜けることができるという効果を生じさせるのは、座部８および背もたれ９が装着・取外し自在もしくはフレーム体に沿って展開・収納自在に支持されているフレーム体２となっているためである。これに加えて、フレーム体２が、左右二つのサイドフレーム３ａ、３ｂを上部バー１１と下部バー１２とにより連結させる構成であって、かつ、上部バー１１が、着座させる被介護者の頭頂部より上方位置に設けられるとともに、下部バー１２が、着座させる被介護者のつま先部より下方位置に設けられる構成にも基づくものである。特に、上部バー１１の当該配置によって、着座状態の被介護者は身をかがめることなく、そのままの姿勢で、上部バー１１つまりフレーム体２をくぐり抜けることができ、また、下部バー１２の当該配置によって、着座状態の被介護者はつま先を持ち上げることなく、そのままの姿勢で、下部バー１２つまりフレーム体２をくぐり抜けることができるのである。
【００３７】
さらには、サイドフレーム３が、座部支持フレーム１４に対して、座部支持フレーム１４の後端から上方へ起立する背もたれ支持フレーム１３と、座部支持フレーム１４の先端から下方へ垂下する脚フレーム１５とを連結する構成によって、座部８の下方にベッド８０の台座を入れ込む配置をとることができ、これによって、ベッド８０の先端部８１が脚フレーム１５の略垂直に配される支柱部１６に当接するまで、フレーム体２を後方に通過させることが可能となる。このとき、フレーム体２は、座部支持フレーム１４の高さ調節が可能な高さアジャスト機構７１を設けることによって、さまざまな高さのベッド８０に対しても、座部支持フレーム１４の高さを調節することで、座部８の下方にベッド８０の台座を入れ込む配置をとることができるようになり、ベッド毎に専用の介護用椅子を用意する必要がなくなるという効果を生じる。
【００３８】
次に、フレーム体を図３（ｂ）の配置とした状態で、座部８および背もたれ９を装着もしくは展開する。当該装着および展開のために、まず被介護者は腰を浮かせる必要がある。最も簡易な方法は、被介護者自らがサイドフレーム３ａ、３ｂに両手をついて腰を浮かせる方法である。もちろん、肘掛フレーム４１に手をついてもよい。しかしながら、この方法は被介護者の労力を要するため適当でない場合がある。その点、座部支持フレーム１４の前端部もしくは脚フレーム１５の上端部において回動自在に支持され、前後方向に回動可能な肘掛フレーム４１を設けて、肘掛フレーム４１により被介護者を支持することにより、介護者が被介護者を前かがみに腰を浮かせた状態で保持することが容易となる効果を生じる。さらに、肘掛フレーム４１に踏み込みレバー４３と連動させて回動を行うためのリンク機構４２を設ける構成の採用により、大きな力を生じさせることができる足の踏み込み力を利用して、容易に前記姿勢を保つことができるので、操作性・作業性が格段に向上し、介護者が一人である場合の介護にも好適である。
【００３９】
また別の方法として、前後方向に回動可能に支持され、後方に回動した際に被介護者の胸部に密着して上半身を支持することが可能な胸部サポート機構５１を設けて、これにより被介護者を支持する構成も有効である。胸部サポート機構５１によって、上半身の荷重を負担することが可能となるため、介護者によって被介護者が前かがみに腰を浮かせた状態で保持するのに必要な力が軽減される。また、被介護者が前方に転落することを防止するという効果も生じる。さらに、胸部サポート機構５１に踏み込みレバー５４と連動させて回動を行うためのリンク機構５３を設ける構成の採用により、大きな力を生じさせることができる足の踏み込み力を利用して、容易に前記姿勢を保つことができるので、操作性・作業性が格段に向上し、介護者が一人である場合の介護にも好適である。
【００４０】
なお、上記の「被介護者が前かがみに腰を浮かせた状態」を生じさせる上で、レッグサポート機構６１を設けることが有効である。より具体的には、被介護者が前かがみに腰を浮かせる際に、膝が支点となるが、その動作をとる際にレッグサポート機構６１で膝下脚部を前方から支持することによって、支点（膝）のブレがなくなり容易に当該動作をとることができるという顕著な効果を生じる。
【００４１】
前記いずれかの方法によって、被介護者が前かがみに腰を浮かせた状態を保持したうえで、座部８および背もたれ９を装着もしくは展開する。一例として、座部８および背もたれ９をフレーム体２に沿ってスライドさせることが可能なスライド機構３５を設けることによって、一体に形成された座部８および背もたれ９をフレーム体２の上方からスライドさせることによって、短時間でスムーズな装着が可能となる。さらに、フレーム体２の上部に座部８および背もたれ９を収納させる収納部３４を設けておくことにより、別途収納場所を設ける必要もなくなり、それらをフレーム体２へ装着（展開）開始する際の作業がより一層簡易かつスムーズに行うことが可能となる。なお、スライド機構３６を設ける横スライド方式によっても同様の効果が得られる。
【００４２】
座部８および背もたれ９を装着もしくは展開が完了することによって、被介護者を座部８および背もたれ９により支持させてフレーム体２に着座した状態とさせることができる。その結果、介護用椅子１によって、図３（ｃ）に示すようにベッド８０の台上から前方へ移動させることが可能となる。このときに、脚フレーム１５が脚部１７に走行輪２１を備えることによって、介護者が介護用椅子１を移動させる際の労力が大幅に軽減されてスムーズな移動が可能となる。なお、床面が絨毯等の場合には、走行輪２１を設けない構成がむしろ移動に好適な場合もある。
【００４３】
次に、図３（ｄ）に示すように、移動先の目的地（実施例においては「トイレ」）に対して、介護用椅子１を後方向きに進行させる。ここで、フレーム体２はトイレ８２をくぐり抜けさせることが可能であるため、図３（ｅ）の位置まで、被介護者を着座させた状態のまま進入させることが可能である。これは、座部８がトイレ８２の座面より上方に設けられ、また、左右の脚フレーム１５ａ、１５ｂ間の前端部の下方に下部バー１２が設けられているフレーム体２の構成から生じる効果である。なお、トイレ８２の座面高さに応じて、高さアジャスト機構７１により座部８の高さを調節することが可能であるので、各種トイレに対応が可能である。
【００４４】
つづいて、図３（ｅ）の位置で、被介護者が前かがみに腰を浮かせた状態となるように保持させて、座部８および背もたれ９を取外しもしくは収納する。腰を浮かせる方法は、前述と同様である。また、座部８および背もたれ９を取外しもしくは収納する方法は、前述の装着もしくは展開の動作と逆の動作によって行われるものである。
座部８および背もたれ９を取外しもしくは収納した後、被介護者が腰を浮かせた状態から腰を下ろす状態をとることによって、トイレ８２の座面への着座が可能となる。
【００４５】
その時点で、図３（ｆ）に示すように、フレーム体２は前方へ引き出して移動させることが可能となり、ベッドからトイレまでを例とした被介護者の移動が完了する。
【００４６】
以上のように、本発明は、大掛かりな吊り上げ機構、回転機構等を採用することなく、軽量で簡易な構造により、歩行が困難である被介護者を介護用椅子に乗せて、移動を可能にするという顕著な効果を有する。とりわけ、「被介護者がベッド等の台上に着座した状態のままくぐり抜け可能である」という顕著な効果を奏する「フレーム体」という構成を備えることによって、移乗の容易化が実現されている。
【００４７】
大掛かりな装置で被介護者を吊り上げて、もしくは横たわった状態から側方に回転移動させる等して乗車させていた従来の介護用椅子と比べて、飛躍的に作業性を向上させることが可能であるとともに、その際の被介護者の肉体的負担も軽減される。また、そのような軽量構造は介護者による移動に要する労力の低減に貢献し、簡易な構造は製造コストの低減をもたらし、結果として購入者への費用負担をも軽減させるものである。
【００４８】
また一方、介護者の人力によって被介護者を支えて乗車させていた場合においては、複数人の介護者が必要であったのに対し、本発明に係る介護用椅子によれば、一人の介護者で介護が可能となるという顕著な効果を生じる。
【００４９】
さらには、本発明に係る介護用椅子を用いることにより、ベッド、トイレ等の既存の設備を改修・取替等することなく、そのままの状態で利用することを可能としつつ被介護者の介護を上記のごとく効果的に行える点が、本発明の最大の効果であるといえる。
【図面の簡単な説明】
【００５０】
【図１】本発明の実施の形態に係る介護用椅子の一例を示す概略図である。
【図２】図１に示す介護用椅子のフレーム体の構成を示す概略図である。
【図３】図１に示す介護用椅子により被介護者を移乗させる作業を作業順に示した工程図である。
【図４】本発明の第二の実施の形態に係る介護用椅子の例を示す概略図である。
【図５】図４に示す介護用椅子の動作を示す説明図である。
【図６】本発明の第三の実施の形態に係る介護用椅子の例を示す概略図である。
【図７】図６に示す介護用椅子の動作を示す説明図である。
【図８】本発明の第四の実施の形態に係る介護用椅子の例を示す概略図である。
【図９】本発明の第五の実施の形態に係る介護用椅子の例を示す概略図である。
【図１０】従来の実施の形態に係る介護用椅子の一例を示す概略図である。
【符号の説明】
【００５１】
１  介護用椅子
２  フレーム体
３、３ａ、３ｂ  サイドフレーム
８  座部
９  背もたれ
１１  上部バー
１２  下部バー
１３、１３ａ、１３ｂ  背もたれ支持フレーム
１４  座部支持フレーム
１５、１５ａ、１５ｂ  脚フレーム
１６  支柱部
１７  脚部
２１、２１ａ、２１ｂ、２１ｃ、２１ｄ  走行輪
２８  係止装置
２９  係止部
３５  スライド機構
３６  スライド機構
４１  肘掛フレーム
４２  リンク機構
４３  踏み込みレバー
４４  伝達ロッド
５１、５１ａ、５１ｂ  胸部サポート機構
５３  リンク機構
５４  踏み込みレバー
５５  伝達ロッド
６１  レッグサポート機構
７１  高さアジャスト機構
８０  ベッド
８１  ベッド先端部
８２  トイレ
Ａ〜Ｄ  座部および背もたれのスライド方向
【図１】
2008104813.tif 000003
【図２】
2008104813.tif 000004
【図３】
2008104813.tif 000005
【図４】
2008104813.tif 000006
【図５】
2008104813.tif 000007
【図６】
2008104813.tif 000008
【図７】
2008104813.tif 000009
【図８】
2008104813.tif 000010
【図９】
2008104813.tif 000011
【図１０】
2008104813.tif 000012